(57)【要約】      （修正有）【課題】  半立体乾燥花絵飾りの作成方法、半立体乾燥花製造具の提供。【解決手段】  網体あるいは多数個の透孔が形成されたベース板、この網体あるいはベース板の一面の外周部に取付けられた支持体とからなる半立体乾燥花製造具の網体あるいはベース板を用いて脱水溶液に漬けたりして脱水処理を施した脱水草花や草花を用いて半立体乾燥花を製造する半立体乾燥花の製造工程と、アルミ箔の外周部寄りの背面に枠を固定し、該枠内のアルミ箔に前面が開口する凹部を形成した背面部材の形成工程と、この背面部材の形成工程で形成された背面部材の凹部内に収納することができるベース部材上に、前記半立体乾燥花の製造工程で製造された半立体乾燥花を用いて、該べース部材に接着固定して半立体乾燥花絵を形成する半立体乾燥花絵の作成工程と、前記背面部材の凹部内に半立体乾燥花絵を収納した後に前面を透明板で覆い、外周部をシールする透明板の取付け工程。【選択図】  図１
2007182050.tif 000002
【特許請求の範囲】
【請求項１】
金網等の網体あるいは多数個の透孔が形成されたベース板、この網体あるいはベース板の少なくとも一面の外周部に取付けられた支持体とからなる半立体乾燥花製造具の網体あるいはベース板を少なくとも２個用いて脱水溶液に漬けたりして脱水処理を施した脱水草花や草花を用いて半立体乾燥花を製造する半立体乾燥花の製造工程と、アルミ箔の外周部寄りの背面に枠を固定し、該枠内のアルミ箔に前面が開口する凹部を形成した背面部材の形成工程と、この背面部材の形成工程で形成された背面部材の凹部内に収納することができるベース部材上に、少なくとも前記半立体乾燥花の製造工程で製造された半立体乾燥花を用いて、該べース部材に接着固定して半立体乾燥花絵を形成する半立体乾燥花絵の作成工程と、前記背面部材の凹部内に半立体乾燥花絵を収納した後に前面を透明板で覆い、外周部をシールする透明板の取付け工程とを含むことを特徴とする半立体乾燥花絵飾りの作成方法。
【請求項２】
金網等の網体あるいは多数個の透孔が形成されたベース板、この網体あるいはベース板の少なくとも一面の外周部に取付けられた支持体とからなる半立体乾燥花製造具の網体あるいはベース板を少なくとも２個用いるとともに、該半立体乾燥花製造具の支持枠内に収納される脱水溶液に漬けたりして脱水処理を施した脱水草花や草花等の薄い葉部分には変形を防止するための自着性の通気シートあるいはクッションシートで覆って半立体乾燥花を製造する半立体乾燥花の製造工程と、アルミ箔の外周部寄りの背面に枠を固定し、該枠内のアルミ箔に前面が開口する凹部を形成した背面部材の形成工程と、この背面部材の形成工程で形成された背面部材の凹部内に収納することができるベース部材上に、少なくとも前記半立体乾燥花の製造工程で製造された半立体乾燥花を用いて、該べース部材に接着固定して半立体乾燥花絵を形成するとともに、該ベース部材の外周部の上面に前面枠を取付ける半立体乾燥花絵の作成工程と、前記背面部材の凹部内に半立体乾燥花絵を収納した後に前面を透明板で覆い、外周部をシールする透明板の取付け工程とを含むことを特徴とする半立体乾燥花絵飾りの作成方法。
【請求項３】
アルミ箔の外周部寄りの背面に枠を固定し、該枠内のアルミ箔に前面が開口する凹部を形成した背面部材の形成工程と、この背面部材の形成工程で形成された背面部材の凹部内に収納することができるベース部材上に押し花、半立体乾燥花のいずれか一方あるいは両方を用いて、該ベース部材に接着固定して半立体形状となるように半立体乾燥花絵を形成する半立体乾燥花絵の作成工程と、前記背面部材の凹部内に半立体乾燥花絵を収納した後に前面を透明板で覆い、
外周部をシールする透明板の取付け工程とを含むことを特徴とする半立体乾燥花絵飾りの作成方法。
【請求項４】
金網等の網体あるいは多数個の透孔が形成されたベース板と、この網体あるいはベース板の少なくとも一面の外周部に取付けられた支持体とからなることを特徴とする半立体乾燥花製造具。
【請求項５】
アルミ箔の外周部寄りの背面に枠を固定し、該枠内のアルミ箔に前面が開口する凹部を形成した背面部材と、この背面部材の凹部内に配置されたベース部材と、このベース部材上に少なくとも半立体乾燥花絵を用いて、該ベース部材に接着固定して形成された半立体乾燥花絵と、この半立体乾燥花絵の前面を覆い、外周部で前記背面部材の外周部のアルミ箔と密封状態で固定される透明板とからなることを特徴とする半立体乾燥花絵飾り。
【請求項６】
ブタノール、エタノール、メタノール、イソプロピルアルコール、アセトン等の有機溶媒のいずれか一つあるいは複数を混合した溶液に酸化防止剤、酸化防止剤とＰＨ調整剤あるいは酸化防止剤にコーティング剤、漂白剤、染料、脱色剤、顔料、柔軟剤等を組み合わせたもののいずれかを入れた脱水溶液。
【請求項７】
ブタノール、エタノール、メタノール、イソプロピルアルコール、アセトン等の有機溶媒のいずれか一つあるいは複数を混合した溶液に酸化防止剤、酸化防止剤とＰＨ調整剤あるいは酸化防止剤にコーティング剤、漂白剤、染料、脱色剤、顔料、柔軟剤等を組み合わせたもののいずれかを入れた脱水溶液の温度調整あるいは減圧調整したものに草花等を漬ける脱水処理工程と、この撒水処理工程後に脱水された草花等にアルコールあるいは水溶性のコーティング剤を吹き付け、脱水された草花等に柔軟性を付与する柔軟性付与工程とからなる脱水処理方法。
【発明の詳細な説明】
【技術分野】
【０００１】
本発明は生の草花を半立体乾燥させたものを用いて半立体乾燥花絵飾りを作成する半立体乾燥花絵飾りの作成方法、半立体乾燥花製造具、半立体乾燥花絵飾り、脱水溶液および脱水処理方法に関する。
【背景技術】
【０００２】
従来、押し花を用いて押し花絵を作成し、該押し花絵を密封して額縁に収納する押し花絵飾りが考えられている。
【０００３】
この押し花絵飾りには押し花を使用するため、花の部分が平坦に押しつぶされた状態であるため、平面的で立体感が得られず、きれいな立体感が得られる押し花飾りができないという欠点があった。
【特許文献１】特許第３６３１９１８号
【発明の開示】
【発明が解決しようとする課題】
【０００４】
本発明は以上のような従来の欠点に鑑み、半立体感が得られる半立体乾燥花を容易に、かつきれいに作れるとともに、この半立体乾燥花を容易に立体感が得られるように半立体乾燥花絵として飾ることができる半立体乾燥花絵飾りの作成方法、半立体乾燥花製造具および半立体乾燥花絵飾りを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は金網等の網体あるいは多数個の透孔が形成されたベース板、この網体あるいはベース板の少なくとも一面の外周部に取付けられた支持体とからなる半立体乾燥花製造具の網体あるいはベース板を少なくとも２個用いて脱水溶液に漬けたりして脱水処理を施した脱水草花や草花を用いて半立体乾燥花を製造する半立体乾燥花の製造工程と、アルミ箔の外周部寄りの背面に枠を固定し、該枠内のアルミ箔に前面が開口する凹部を形成した背面部材の形成工程と、この背面部材の形成工程で形成された背面部材の凹部内に収納することができるベース部材上に、少なくとも前記半立体乾燥花の製造工程で製造された半立体乾燥花を用いて、該べース部材に接着固定して半立体乾燥花絵を形成する半立体乾燥花絵の作成工程と、前記背面部材の凹部内に半立体乾燥花絵を収納した後に前面を透明板で覆い、外周部をシールする透明板の取付け工程とで半立体乾燥花絵飾りの作成方法を構成している。
【０００７】
本発明は金網等の網体あるいは多数個の透孔が形成されたベース板と、この網体あるいはベース板の少なくとも一面の外周部に取付けられた支持体とで半立体乾燥花製造具を構成している。
【０００８】
本発明はアルミ箔の外周部寄りの背面に枠を固定し、該枠内のアルミ箔に前面が開口する凹部を形成した背面部材と、この背面部材の凹部内に配置されたベース部材と、このベース部材上に少なくとも半立体乾燥花を用いて、該ベース部材に接着固定して形成された半立体乾燥花絵と、この半立体乾燥花絵の前面を覆い、外周部で前記背面部材の外周部のアルミ箔と密封状態で固定される透明板とで半立体乾燥花絵飾りを構成している。
【０００９】
本発明はブタノール、エタノール、メタノール、イソプロピルアルコール、アセトン等の有機溶媒のいずれか一つあるいは複数を混合した溶液に酸化防止剤、酸化防止剤とＰＨ調整剤あるいは酸化防止剤にコーティング剤、漂白剤、染料、脱色剤、顔料、柔軟剤等を組み合わせたもののいずれかを入れて脱水溶液を構成している。
【００１０】
本発明はブタノール、エタノール、メタノール、イソプロピルアルコール、アセトン等の有機溶媒のいずれか一つあるいは複数を混合した溶液に酸化防止剤、酸化防止剤とＰＨ調整剤あるいは酸化防止剤にコーティング剤、漂白剤、染料、脱色剤、顔料、柔軟剤等を組み合わせたもののいずれかを入れた脱水溶液の温度調整あるいは減圧調整したものに草花等を漬ける脱水処理工程と、この撒水処理工程後に脱水された草花等にアルコールあるいは水溶性のコーティング剤を吹き付け、脱水された草花等に柔軟性を付与する柔軟性付与工程とで脱水処理方法を構成している。
【発明の効果】
【００１１】
以上の説明から明らかなように、本発明にあっては次に列挙する効果が得られる。
【００１２】
（１）金網等の網体あるいは多数個の透孔が形成されたベース板、この網体あるいはベース板の少なくとも一面の外周部に取付けられた支持体とからなる半立体乾燥花製造具の網体あるいはベース板を少なくとも２個用いて脱水溶液に漬けたりして脱水処理を施した脱水草花や草花を用いて半立体乾燥花を製造する半立体乾燥花の製造工程と、アルミ箔の外周部寄りの背面に枠を固定し、該枠内のアルミ箔に前面が開口する凹部を形成した背面部材の形成工程と、この背面部材の形成工程で形成された背面部材の凹部内に収納することができるベース部材上に、少なくとも前記半立体乾燥花の製造工程で製造された半立体乾燥花を用いて、該べース部材に接着固定して半立体乾燥花絵を形成する半立体乾燥花絵の作成工程と、前記背面部材の凹部内に半立体乾燥花絵を収納した後に前面を透明板で覆い、外周部をシールする透明板の取付け工程とで構成されているので、草花を半立体乾燥花製造具で製造できる。
したがって、押し花のように花等の厚さがある部分が平坦になって見苦しい乾燥花になるのを防止して、きれいな乾燥花に仕上げることができる。
【００１３】
（２）前記（１）によって、アルミ箔の外周部寄りの背面に枠を固定し、該枠内のアルミ箔に前面が開口する凹部を形成するので、アルミ箔に容易に凹部を形成することができる。
【００１４】
（３）前記（１）によって、アルミ箔に形成し凹部内にベース部材や、該ベース部材に半立体乾燥花を用いて形成した半立体乾燥花絵を収納するので、半立体乾燥花絵が透明板で押しつぶされたりすることなく、ベース部材に作成した状態で収納できる。
【００１５】
（４）請求項２も前記（１）〜（３）と同様な効果があるとともに、薄い葉の部分を自着性の通気シートあるいはクッションシートで覆って乾燥するので、該部位の変形を効率よく防止することができる半立体乾燥花を製造することができる。
また、ベース部材の外周部の前面に前面枠を取付けて透明板で覆っているので、半立体乾燥花絵の外周部をきれいにでき、よりきれいで、立体的な半立体乾燥花絵を収納することができる。
【００１６】
（５）請求項３によって、支持枠と同じ寸法あるいは２倍の寸法で半立体乾燥花を製造することができる。
【００１７】
（６）請求項５も前記（１）〜（３） と同様な効果が得られる。
【００１８】
（７）請求項６は効率よく草花等を脱水乾燥させることができる。
【００１９】
（８）請求項７は効率よく草花等を脱水乾燥させることができるとともに、半立体乾燥花等の押し圧加工時にも脱水された草花等の損傷を効率よく阻止することができる。
【発明を実施するための最良の形態】
【００２０】
以下、図面に示す本発明を実施するための最良の形態により、本発明を詳細に説明する。
【００２１】
図１ないし図１２に示す本発明を実施するための最良の第１の形態において、１は本発明の半立体乾燥花絵飾りの作成方法で、この半立体乾燥花絵飾りの作成方法１は半立体乾燥花製造具を、少なくとも２個用いて半立体乾燥花３を製造する半立体乾燥花の製造工程４と、アルミ箔、片面に樹脂コーティングされたアルミ箔、片面に樹脂シートが貼着されたアルミ箔等のアルミ箔５の外周部寄りの背面に枠６を固定し、該枠６内のアルミ箔５に前面が開口する凹部７を形成した背面部材８を形成する背面部材の形成工程９と、この背面部材の形成工程９で形成された背面部材８の凹部７内に、必要に応じて乾燥剤１０や脱酸素剤１１を収納してベース部材１２を配置し、該ベース部材１２上に少なくとも前記半立体乾燥花３を用いて、該ベース部材１２に接着固定して半立体乾燥花絵１３を形成する半立体乾燥花絵の作成工程１４と、この半立体乾燥花絵の作成工程１４後に、前記背面部材８の凹部７の外周部位に前面枠１５を接着剤で固定するとともに、該前面枠１５を覆うアクリルやガラス等の透明板１６を配置して、該透明板１６の外周部と背面部材８の外周部とを密封できるように接着剤や接着テープを用いて固定する透明板の取付け工程１７と、この透明板の取付け工程１７後に額縁１８に収納する額縁への収納工程１９とで構成されている。
【００２２】
前記半立体乾燥花の製造工程４では、図２に示すように段ボール、木材、プラスチック材等で多数個の透孔２０が形成されたベース板２１と、このベース板２１の一面あるいは両面、本発明を実施する形態では一面の外周部に固定された支持体としての支持枠２２とからなる半立体乾燥花製造具２を少なくとも２個以上用いて行なう。
半立体乾燥花３の製造は半立体乾燥花製造具２の支持枠２２内に半立体乾燥花にする草花２３を収納し、図３に示すように支持枠２２を対向あるいは図４に示すように草花２３を収納した支持枠２２にベース板２１を支持させ、図５に示すようにドライヤー２４等の熱風で乾燥させる乾燥機２５の乾燥室２６内へ収納して乾燥を行なう。
この場合、薄い葉が乾燥によって変形する場合には、図６に示すように内壁に粘着剤２７が塗布された自着性の通気シート２８で覆って乾燥させることにより葉の変形を防止することができる。
また、自着性の通気シート２８に代えてクッションシートを用いても、薄い葉の乾燥時の変形を防止することができる。
【００２３】
また、この半立体乾燥花の製造工程４で使用する半立体乾燥花にする草花（生花）２３は、図７に示すようにブタノール、エタノール、メタノール、イソプロピルアルコール、アセトン等の有機溶媒のいずれか一つあるいは複数を混合した溶液４０に酸化防止剤４１、酸化防止剤４１とＰＨ調整剤あるいは酸化防止剤４１にコーティング剤、漂白剤、染料、脱色剤、顔料、柔軟剤等を組み合わせたもののいずれかを入れた脱水溶液４２に漬けて脱水する脱水処理工程を用いた脱水草花４３を用いてもよい。
さらに、図８に示すように脱水溶液４２に草花２３を漬け、脱水した後、アルコールや水溶性のコーティング剤４４を脱水された草花４３に霧吹き４５等で吹き付けて、柔軟性を付与する柔軟性付与工程を行なった脱水草花４３Ａを用いてもよい。
なお、脱水処理工程では脱水溶液４２の温度調整によって脱水処理を短時間で完了できるようにしてもよく、また、脱水溶液４２と草花２３を入れた容器を減圧したり、真空にすることにより脱水処理を短時間で完了できるようにしてもよい。
【００２４】
前記背面部材の形成工程９は図９に示すように、長方形状のアルミ箔５の背面が上面に位置するようにテーブル３０上に位置させ、該アルミ箔５の外周部寄りの背面に枠６を固定する。この枠６の固定は一辺ずつ接着剤を用いて固定して枠６にしてもよく、あらかじめ枠６に形成されたものを接着剤で固定してもよい。
次に、枠６が固定されたアルミ箔５を反転して、アルミ箔５の枠６内の部位を切断しないように押し圧して凹部７を形成して背面部材８を形成する。
【００２５】
前記半立体乾燥花絵の作成工程１４は図１０に示すように、背面部材８の凹部７内に接着剤等で移動しないように、必要に応じて乾燥剤１０や脱酸素剤１１を収納した後、紙、木材、プラスチック材等で形成したベース部材１２上に接着剤で少なくとも前記半立体乾燥花３を固定しながら半立体乾燥花絵１３を形成したものを凹部７内へ収納して行なう。
なお、半立体乾燥花絵１３は半立体乾燥花３だけで形成してもよく、あるいは半立体乾燥花３に押し花を用いて作成したものであってもよい。
また、テーブル等にベース部材１２を位置させて半立体乾燥花絵１３を作成した後、背面部材８の凹部７内に収納してもよい。
【００２６】
前記透明板の取付け工程１７は図１１に示すように、ベース部材１２の外周部に外周部位にスポンジ、発泡スチロール、厚紙、木材等で形成した前面枠１５を接着剤で固定するとともに、該前面枠１５を覆うように透明板１６を配置して、透明板１６の外周部と背面部材８の外周部とを接着剤や粘着テープで密封する。
【００２７】
前記額縁への収納工程１９は図１２に示すように、前面枠１５よりも小さな透孔３１が形成された装飾枠３２を透明板１６上に位置させて額縁１８に収納する。
また、透孔が前面枠１５よりも小さく形成された額縁へ収納してもよい。
【００２８】
このようにして作成された図１３および図１４に示す半立体乾燥花絵飾り３３は、透明板１６と背面部材８との間に凹部７を形成し、該凹部７内に半立体乾燥花絵１３が配置されるため半立体状態を保つことができるとともに、額縁１８の装飾枠３２によって前面枠１５の外周部や、背面部材８の凹部７の外周部を覆って、きれいに飾ることができる。
[発明を実施するための異なる形態]
【００２９】
次に、図１５ないし図３５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００３０】
図１５ないし図１８に示す本発明を実施するための第２の形態において、前記本発明を実施するための最良の第１の形態と主に異なる点は、複数個の半立体乾燥花製造具２間に草花２３を収納し、全体を輪ゴムやひも３４で移動しないように取付けた後、乾燥剤３５や脱酸素剤３６が収納された密封袋３７に収納して、開口部３８を密閉して乾燥されるまで放置した半立体乾燥花の製造工程４Ａを用いた点で、このような半立体乾燥花の製造工程４Ａを用いた半立体乾燥花絵飾りの作成方法１Ａを行なって半立体乾燥花絵飾り３３Ａを作成しても、前記本発明を実施するための最良の第１の形態と同様な作用効果が得られる。
【００３１】
図１９ないし図２２に示す本発明を実施するための第３の形態において、前記本発明を実施するための最良の第１の形態と主に異なる点は、外周部を内側へＬ字状あるいはほぼ半円弧状に曲げ加工した半立体乾燥花製造具２Ａを使用する半立体乾燥花の製造工程４Ｂを用いた点で、このような半立体乾燥花の製造工程４Ｂを用いた半立体乾燥花絵飾りの作成方法１Ｂを行なって半立体乾燥花絵飾り３３Ｂを作成しても、前記本発明を実施するための最良の第１の形態と同様な作用効果が得られる。
【００３２】
図２３ないし図２６に示す本発明を実施するための第４の形態において、前記本発明を実施するための最良の第１の形態と主に異なる点は、背面部材８の外周部と透明板１６の外周部とを接着剤で密封する透明板の取付け工程１７Ａを用いた点で、このような透明板の取付け工程１７Ａを用いた半立体乾燥花絵飾りの作成方法１Ｃを行なって半立体乾燥花絵飾り３３Ｃを作成しても、前記本発明を実施するための最良の第１の形態よりも、前面枠の厚さ寸法だけ半立体乾燥花絵の収納スペースが小さくなるが、それ以外は同様な作用効果が得られる。
【００３３】
図２７ないし図２９に示す本発明を実施するための第５の形態において、前記本発明を実施するための最良の第１の形態と主に異なる点は、少なくとも一対の金網等の網体３９、３９と、この少なくとも一対の網体３９、３９の両方の網体３９の四隅部に吸着により取付けられた磁性材製の支持体２２Ａとからなる半立体乾燥花製造具２Ｂを用いて半立体乾燥花の製造工程４Ｃを用いた点で、このような半立体乾燥花の製造工程４Ｃを用いた半立体乾燥花絵飾りの作成方法１Ｄを行なって半立体乾燥花絵飾り３３Ｃを作成しても、前記本発明を実施するための最良の第１の形態と同様な作用効果が得られる。
なお、一対の網体３９、３９を用いた半立体乾燥花製造具２Ｂを用いる場合には、網体３９、３９に直接草花を接触させることなく、和紙やクッションシートを介装することにより草花に網目がつくのを防止することができるので、必要に応じて和紙やクッションシートを使用して半立体乾燥花を製造するとよい。
本発明を実施する形態の半立体乾燥花製造具２Ｂは最低２枚の網体３９、３９と、４個の磁性材製の支持体２２Ａとで構成され、４個の磁性材製の支持体２２Ａおよび１枚の網体３９とを追加していくことにより、複数に重ねて半立体乾燥花を製造することができる。
本発明を実施する形態で使用する半立体乾燥花製造具２Ｂは網体３９の外周部に支持枠を一体形成したものを用いてもよく、支持枠を接着剤あるいは溶着等によって固定したものを用いてもよい。
また、金属材以外の網体３９を用いる場合には、磁性材製以外の材質で形成した支持体２２Ａを接着剤等で固定したものを用いてもよい。
【００３４】
図３０ないし図３２に示す本発明を実施するための第６の形態において、前記本発明を実施するための最良の第１の形態と主に異なる点は、図３１に示すように容器４６内に吸水シート４７を収納し、その上に草花２３を配置した後、吸水シート４８で覆った後、容器４６内に脱水溶液４２を上部の吸水シート４８が浮き上がらないように収納して、草花２３の脱水および半立体形状に加工した半立体乾燥花３Ａを製造する半立体乾燥花の製造工程４Ｄを用いた点で、このような半立体乾燥花の製造工程４Ｄを用いた半立体乾燥花絵飾りの作成方法１Ｅを行なって半立体乾燥花絵飾り３３Ｄを作成しても、前記本発明を実施するための最良の第１の形態と同様な作用効果が得られる。
【００３５】
図３３ないし図３５に示す本発明を実施するための第７の形態において、前記本発明を実施するための最良の第１の形態と主に異なる点は、脱水溶液４２に草花２３を漬けて草花の脱水を図るとともに、脱水された草花４３Ａにアルコールや水溶性のコーティング剤４４を吹き付けた柔軟性が付与された立体乾燥花３Ｂを製造する立体乾燥花の製造工程４９を用いた点で、このような立体乾燥花の製造工程４９で製造された立体乾燥花３Ｂを背面部材８の凹部７内に収納して透明板１６で覆っても、立体乾燥花３Ｂに柔軟性があるので、損傷を防止できる半立体乾燥花絵飾りの作成方法１Ｆを行なって、半立体乾燥花絵飾り３３Ｅを作成しても、前記本発明を実施するための最良の第１の形態と同様な作用効果が得られる。
【００３６】
なお、前記本発明を実施する形態では、乾燥機あるいは乾燥剤と半立体乾燥花製造具とを用いて草花を乾燥させるものについて説明したが、本発明はこれに限らず、乾燥剤の代りに乾燥用アルコールを用いてもよく、半立体乾燥花製造具を用いることなく、通気性のよい場所や、熱風乾燥機、乾燥用アルコールを用いて草花を半立体状に乾燥させた半立体乾燥花を用いてもよい。
また、前記本発明を実施する形態では半立体乾燥花製造具を用いて草花を乾燥させた半立体乾燥花を用いるものについて説明したが、本発明はこれに限らず、半立体乾燥花の製造工程を用いることなく、押し花だけを曲げたり、重ねたりして半立体乾燥花絵を作成したり、押し花と半立体乾燥花とを用いて半立体乾燥花絵を作成したものを用いてもよい。
さらに、本発明は凹部７内に半立体乾燥花が収納され、背面部材８とベース部材１２で密封された凹部７内に窒素ガス等の不活性ガスを充填して、半立体乾燥花の変色や褐変を防止してもよい。
【産業上の利用可能性】
【００３７】
本発明は半立体乾燥花絵飾りの作成方法を教える産業や、半立体乾燥花絵飾りを製造する産業で利用される。
【図面の簡単な説明】
【００３８】
【図１】本発明を実施するための最良の第１の形態の工程図。
【図２】本発明を実施するための最良の第１の形態の半立体乾燥花製造具の説明図。
【図３】本発明を実施するための最良の第１の形態の半立体乾燥花製造具の使用説明図。
【図４】本発明を実施するための最良の第１の形態の半立体乾燥花製造具の異なる使用説明図。
【図５】本発明を実施するための最良の第１の形態の乾燥機での乾燥状態の説明図。
【図６】本発明を実施するための最良の第１の形態の葉を自着性の通気シートで覆った状態の説明図。
【図７】脱水処理の説明図。
【図８】異なる脱水処理の説明図。
【図９】本発明を実施するための最良の第１の形態の背面部材の形成工程の説明図。
【図１０】本発明を実施するための最良の第１の形態の半立体乾燥花絵の作成工程の説明図。
【図１１】本発明を実施するための最良の第１の形態の透明板の取付け工程の説明図。
【図１２】本発明を実施するための最良の第１の形態の額縁への収納工程の説明図。
【図１３】本発明を実施するための最良の第１の形態の半立体乾燥花絵飾りの正面図。
【図１４】図１３の１４−１４線に沿う断面図。
【図１５】本発明を実施するための第２の形態の工程図。
【図１６】本発明を実施するための第２の形態の半立体乾燥花の製造工程の説明図。
【図１７】本発明を実施するための第２の形態の半立体乾燥花絵飾りの正面図。
【図１８】図１７の１８−１８線に沿う断面図。
【図１９】本発明を実施するための第３の形態の工程図。
【図２０】本発明を実施するための第３の形態の半立体乾燥花製造具の説明図。
【図２１】本発明を実施するための第３の形態の半立体乾燥花の製造工程の説明図。
【図２２】本発明を実施するための第３の形態の半立体乾燥花絵飾りの正面図。
【図２３】本発明を実施するための第４の形態の工程図。
【図２４】本発明を実施するための第４の形態の透明板の取付け工程の説明図。
【図２５】本発明を実施するための第４の形態の半立体乾燥花絵飾りの正面図。
【図２６】図２５の２６−２６線に沿う断面図。
【図２７】本発明を実施するための第５の形態の工程図。
【図２８】本発明を実施するための第５の形態の半立体乾燥花製造具の説明図。
【図２９】本発明を実施するための第５の形態の半立体乾燥花の製造工程の説明図。
【図３０】本発明を実施するための第６の形態の工程図。
【図３１】本発明を実施するための第６の形態の半立体乾燥花の製造工程の説明図。
【図３２】本発明を実施するための第６の形態の半立体乾燥花絵飾りの断面図。
【図３３】本発明を実施するための第７の形態の工程図。
【図３４】本発明を実施するための第７の形態の半立体乾燥花の製造工程の説明図。
【図３５】本発明を実施するための第７の形態の半立体乾燥花絵飾りの断面図。
【符号の説明】
【００３９】
１、１Ａ、１Ｂ、１Ｃ、１Ｄ、１Ｅ、１Ｆ：半立体乾燥花絵飾りの作成方法、
２、２Ａ、２Ｂ：半立体乾燥花製造具、
３、３Ａ：半立体乾燥花、          ３Ｂ：立体乾燥花、
４、４Ａ、４Ｂ、４Ｃ、４Ｄ：半立体乾燥花の製造工程、
５：アルミ箔、                                ６：枠、
７：凹部、                                        ８：背面部材、
９：背面部材の形成工程、          １０：乾燥剤、
１１：脱酸素剤、                            １２：ベース部材、
１３：半立体乾燥花絵、                １４：半立体乾燥花絵の作成工程、
１５：前面枠、                                １６：透明板、
１７、１７Ａ：透明板の取付け工程、
１８：額縁、                                  １９：額縁への収納工程、
２０：透孔、                                  ２１：ベース板、
２２、２２Ａ：支持枠、                ２３：草花、
２４：ドライヤー、                      ２５：乾燥機、
２６：乾燥室、                                ２７：粘着剤、
２９：自着性の通気シート、        ３０：テーブル、
３１：透孔、                                  ３２：装飾枠、
３３、３３Ａ、３３Ｂ、３３Ｃ、３３Ｄ、３３Ｅ：半立体乾燥花絵飾り、
３４：輪ゴムやひも、                    ３５：乾燥剤、
３６：脱酸素剤、                            ３７：密封袋、
３８：開口部、                                ３９：網体、
４０：溶液、                                  ４１：酸化防止剤、
４２：脱水溶液、                            ４３、４３Ａ：脱水草花、
４４：アルコールやコーティング剤、
４５：霧吹き、                                ４６：容器、
４７：吸水シート、                      ４８：吸水シート、
４９：立体乾燥花の製造工程。
【図１】
2007182050.tif 000003
【図２】
2007182050.tif 000004
【図３】
2007182050.tif 000005
【図４】
2007182050.tif 000006
【図５】
2007182050.tif 000007
【図６】
2007182050.tif 000008
【図７】
2007182050.tif 000009
【図８】
2007182050.tif 000010
【図９】
2007182050.tif 000011
【図１０】
2007182050.tif 000012
【図１１】
2007182050.tif 000013
【図１２】
2007182050.tif 000014
【図１３】
2007182050.tif 000015
【図１４】
2007182050.tif 000016
【図１５】
2007182050.tif 000017
【図１６】
2007182050.tif 000018
【図１７】
2007182050.tif 000019
【図１８】
2007182050.tif 000020
【図１９】
2007182050.tif 000021
【図２０】
2007182050.tif 000022
【図２１】
2007182050.tif 000023
【図２２】
2007182050.tif 000024
【図２３】
2007182050.tif 000025
【図２４】
2007182050.tif 000026
【図２５】
2007182050.tif 000027
【図２６】
2007182050.tif 000028
【図２７】
2007182050.tif 000029
【図２８】
2007182050.tif 000030
【図２９】
2007182050.tif 000031
【図３０】
2007182050.tif 000032
【図３１】
2007182050.tif 000033
【図３２】
2007182050.tif 000034
【図３３】
2007182050.tif 000035
【図３４】
2007182050.tif 000036
【図３５】
2007182050.tif 000037